(57)【要約】【目的】回収のため路上等に仮保管する生ゴミ類を烏の攻撃から護り、撒き散らかすのを防止する。【構成】路上等のゴミ収集場所に収集されるゴミ収集物にゴミ掛け用ネット（６）を被せ全体を被覆すると共に、前記ゴミ収集物の周囲に沿って可撓性を有した帯板材からなる囲み主体部（１）を環状に組立て立ち上がらせて取り囲み、前記ゴミ掛け用ネット（６）の中に烏が侵入するのを阻止し、未然に生ゴミの引き出しによる撒き散らかしを防止する。【選択図】        図５
2005082390.tif 000002
【特許請求の範囲】
【請求項１】
所要の幅員と長さを有する帯板状をなす囲み主体部を可撓性素材によって形成し、該囲み主体部の両端部を接離可能に連結して環状に組立てゴミ掛け用ネットで被覆するゴミ収集物の周囲を取り囲むことを特徴としたゴミ掛け用ネットの防護用補助具。
【請求項２】
請求項１の記載において、可撓性素材は合成樹脂の帯状板材であることを特徴としたゴミ掛け用ネットの防護用補助具。
【請求項３】
請求項１又は２の記載において、囲み主体部の両端部の一方には連結係止部を、他方には係合受部を備えて互いに係脱自由に連結係合し、環状に組立ることを特徴としたゴミ掛け用ネットの防護用補助具。
【請求項４】
請求項３の記載において、囲み主体部の一方の端部に備える係合受部は主体部の長さ方向に沿って所要の間隔をおいて複数個段設し、他方の端部に備える連結係止部をそのいずれかに選択係合可能にしてなることを特徴としたゴミ掛け用ネットの防護用補助具。
【請求項５】
請求項１又は２の記載において、囲み主体部は両端部を衝き合せ、若しくは重ね合せにして該衝き合せ部若しくは重ね合せ部をクリップにより狭持し、接離可能に連結して環状に組立ることを特徴としたゴミ掛け用ネットの防護用補助具。
【請求項６】
請求項１乃至６の記載において、囲み主体部の少なくとも一方の端部には手提げ部を設けてなることを特徴としたゴミ掛け用ネットの防護用補助具。
【発明の詳細な説明】
【技術分野】
【０００１】
本発明は、家庭や飲食店等から排出され路上等で一時的に保管されるゴミ、ことに残飯や料理屑等の所謂生ゴミ類を烏の食べ散らかしから護るゴミ掛け用ネットにおける防護用補助具に関する。
【背景技術】
【０００２】
家庭や飲食店から排出されるゴミ類は、ゴミの回収車によって引取られるまで一時的に路上や空地の片隅等に集められ仮保管されることが多い。この場合、持ち出しするのに、或いは保管に便利なようにゴミ容器に収めたり、袋に収めて持ち出され所定の仮収集場所に一纏めにして保管し、回収車の回収に備えているのが普通である。
最近都市部において、このゴミを狙って烏が容器の蓋を開けたり、或いは袋を破って中の餌になる残飯等の生ゴミを引き出し、辺り一面に撒き散らす等、跡片付けの上から、また衛生面から好ましくない状況が生じており問題化している。
【０００３】
従来から路上に収集されたゴミの容器や袋が一纏めとなるよう種々取り纏める工夫がなされている。その中で風により吹き飛んだり、烏や犬、猫によって荒らされるのを防止するため収集したゴミの容器や袋の上にゴミ掛け用のネットを被せ取り散らかるのを防止するようにしている。
【０００４】
このゴミ掛け用ネットによるゴミの飛散防止方法は、収集したゴミの全体を被うことから風に対して、或いは猫や犬に対しては所定の効果を挙げており、またネットは簡単に折り畳んで保管することも、持ち運ぶことも容易であることから広く利用されているが、烏の攻撃に対しては無力の状態にあり、充分に効果が挙げられていない。
烏の攻撃はネットの裾を押し上げるようにして頭からネットの中に入り込みゴミを引き出すことによって行はれる。そこで従来からこれに対する防止策としてネットの周縁に錘を付けたり、錘になる物を裾に沿って載置するなどして烏の侵入を阻止する方法が講じられている。しかし、ネットの裾に隙間があると、そこから侵入してゴミを引き出すことになり充分な効果が挙げられていないのが実情である。
【発明の開示】
【発明が解決しようとする課題】
【０００５】
従って、本発明は上述したことからその目的とするところは、家庭などから排出されるゴミ、特に残飯などの生ゴミを収集し回収する際に路上や空地に一時的に保管されるゴミを烏の攻撃から護ることにある。
前述したように、生ゴミ類は一般にゴミの専用容器に収めるか、所定のプラスチック製のゴミ袋や紙袋等に収める等して一定の一時的保管場所に持ち出し、これにゴミ掛け用のネットを被せて一纏めにして保管している。本発明はこの状態におけるゴミ容器やゴミ袋から烏によって生ゴミ類が引き出されて路上等保管場所一帯に撒き散らかされるのを有効に防止し、美観的にも、また衛生的にも好ましい状態で収集したゴミを一時保管することを目的とする。
【課題を解決するための手段】
【０００６】
本発明は、上記目的を達成するため、ゴミ掛け用ネットに併用して烏の攻撃からネットで被覆する生ゴミ類の引き出しを防止する方法と、ゴミ掛け用ネットを有効に防護し烏のの侵入を阻止する補助具を提供するものである。
本発明を更に詳述すれば、所要の幅員と長さを有する帯板状をなす囲み主体部を可撓性素材によって形成し、該囲み主体部の両端部を接離可能に連結して環状に組立て立ち上がらせてゴミ掛け用ネットで被覆するゴミ収集物の周囲を取り囲み、これにより烏の侵入を阻止する防護方法と、このゴミ掛け用ネットの防護用補助具を提供するものである。
【０００７】
前記囲み主体部は、可撓性を有する、好ましくはプラスチック製の帯状板材であって自由に湾曲させて長さの両端部を衝き合せるように環状に丸め、組立てられるもの、更に言うならば環状にした状態を更に絞って筒形に巻き纏められる程の柔軟性を有した素材であることが望まれる。またこの囲み主体部は、ゴミ容器やゴミ袋等のゴミ収集物の周囲を取り囲むことからこの周囲の長さに合せた長さに形成されることが求められる。
【０００８】
ゴミの収集状態はまちまちであり一定ではないが、一般的にはゴミ容器或いはゴミ袋にして２０〜３０個を最大としており、通常は１０個前後であることから、これらを取り囲むに必要な長さとして約３〜５ｍ前後となる。従って、前記囲み主体部の全長はこれに合せたものとなる。
一方、この囲み主体部の幅員、即ち帯状に伸展した状態にあるときの幅員、つまり後述する使用時における高さとして２０〜３０ｃｍが適当である。勿論、この範囲を超えて高くなっても、また低くなっても本発明の実施は可能であるが、例えば大型化することによって取扱いが不便になる等の問題がでる。
【０００９】
上記囲み主体部の長さ及び幅員は、烏の侵入を防止する効果を挙げる上で必要な条件となるが、同時に取り扱い易くすることも重要な要件となる。
即ち、後述するように使用時には囲み主体部の両端部を繋いで環状に組立て立ち上がらせてゴミ収集物を取り囲むことから容易に組立操作ができること、そして使用終了後は縮小させることに併せて持ち運び、格納することから取り扱い易い重さと大きさであることが求められる。従って、これらの条件を考慮して囲み主体部の長さと幅員が選ばれることになる。
【００１０】
この囲み主体部は上述したように使用時には両端部を衝き合せ、或いは重ね合せて環状に組立てることから、この両端部には相互に連結する連結手段が備えられる。
連結するための手段の一つは一方の端部に連結係止部を設け、他方の端部に係合受部を設けて両者を係脱自由に掛け合せ連結する方法である。
【００１１】
この連結方法は、囲み主体部の一方の端部に例えば鉤形の連結係止部を主体部の一部を切り取って形成し、これに対向する他方の端部に係合受部となる切欠き穴を設け、この穴に前記鉤形の連結係止部を掛け止めることによって実行することができる。この場合、上記切欠き穴に代えて連結係止部と同様の鉤形を形成し、鉤形同志を掛け合せて連結するようにすることも可能である。
【００１２】
上記連結方法において、囲み主体部の一方の端部に形成する切欠き穴を長さ方向に沿って間隔を置いて複数個開設すると、他端の鉤形連結係止部をそのいずれかの切欠き穴、つまり係合受部に選択的に掛け止めることができることから、これによって囲み主体部によって形成される環状（体）を大小変化させ調整することができることになる。
この環状の大小の調整は、ゴミ掛け用ネットの大きさに併せる場合と、収集したゴミの量の多少に合せる場合に有利であり、収集し取り纏めたゴミとの間に無用の空間を置くことなく環状に組んだ囲み主体部をゴミ収集物に添わせて配置するに当って有利である。
【００１３】
この囲み主体部は上述したように両端部に環状に組立るための連結手段を備えることを有利とするが、この両端部をクリップ等の挟持具によって重ね合せに挟み付け連結するようにしてもよい。
上記挟持具による連結は端部同志を重ね合せにしたのち囲み主体部の縁部、つまり上縁部か、下縁部の一方若しくは双方に挟持具を臨ませ接面状に挟持させることによって行うことができる。
この挟持具によると、端部の重なり位置をずらすことによって囲み主体部の環状の大きさを自由に変えられるのでゴミ収集物の収集量の変化に対応させることが容易である。
【００１４】
一方、上記帯板状をなす囲み主体部には一方の端部若しくは両端部に不使用時、つまり格納時に持ち運ぶための手提げ部が備えられる。
上記手提げ部は囲み主体部を巻き纏めて筒状にしたとき、外側になる端部に設けられる。この手提げ部は吊手の形状をなすものであればよく、例えば、囲み主体部の一部を切り起して形成してもよく、また別体の短冊状の把手部材を添わせてその両端を固定し、ブリッジ状に取付けてもよい。
【００１５】
ところで、実験の結果から発明者において囲み主体部は合成樹脂を素材とすることによって、その表面に素材固有の光沢を発し、これが使用時に烏に何らかの影響を及ぼし、烏の寄り付きを阻止する効果を発揮しているものと考えている。またテストの結果からは透明素材である場合と不透明素材である場合のいずれにおいてもゴミ収集物に対する烏の寄り付きを排除し、攻撃から護り所定の効果を挙げているのを確認している。
【００１６】
尚、囲み主体部については長さの途中を１乃至複数個所切断して複数個の片に分割すると共に、各切断部において折り曲げ自由に連結し、扁平状に折り畳み格納するようにしても本発明の実施は可能である。
上記切断部の連結には布製或いはプラスチックフィルム製の強靭な粘着テープの利用が適当である。この粘着テープの貼り付けによって切断片相互を衝き合状に連結し、囲み主体部を所定の長さに形成することになる。そして、粘着テープをヒンジ手段にして折り曲げ自由にして切断片相互を重ね合せにし、扁平に折り畳んで持ち運び、格納に便ならしめるのである。
勿論、この場合使用に当って囲み主体部全体を環状に組んだとき、各切断部の接合部分が角張ることになるが、全体として環状を作ることができるのでゴミ収集物を囲む上で支障にはならない。
【００１７】
次に、本発明に係るゴミ掛け用ネットの防護用補助具につき、使用の実際を通して更に説明する。本発明において収集したゴミ容器、ゴミ袋等のゴミ収集物は回収に備えて従来から行われているように一纏めにして道路や空地等の一時的収集場所に置かれ、この上に被い包むようにゴミ掛け用ネットを載置することになる。そうしたのち本発明防護用補助具の囲み主体部を展開してゴミ掛け用ネットの上からゴミ収集物を取り囲むように設置する。
【００１８】
上記囲み主体部は環状に組立ることによって一纏めにしたゴミ収集物を取り囲むように配置し、予めゴミ収集物に被せたゴミ掛け用ネットの周縁部、つまり地面に沿って広がる裾の部分に載置し、この部分を収集場所の路面上、乃至地面に対して均一に押し付け、これらとネットとの間に空隙ができないようにする。このとき、囲み主体部の側縁部、つまり上下の縁部を直線状に形成することによって平坦な収集場所であるならば、常に自動的に均一な押し付けが実現することになる。
【００１９】
この様にしてゴミ収集物に被せたゴミ掛け用ネットは環状に組んだ囲み主体部によって周囲を囲まれることになる。また路上乃至地面に添わせた裾の部分は囲み主体部によって押付けられ、その重量を受けることにより安定的に固定されることになる。
【００２０】
このため、ゴミ収集物は囲み主体部による取り囲みによって周縁部からの烏の侵入を防ぐと共に、主体部から開放される上方部分はゴミ掛け用ネットによって被覆されることからネットを通してのゴミの引き出しは不可能となり撒き散らかしは有効に防止されることになる。
【００２１】
上記囲み主体部の使用は、上述したようにゴミ掛け用ネットの裾の部分に載置して使用する外、ゴミ収集物の周囲に置いた後、ゴミ収集物と共に上からネットを被せて使用することもある。
つまり、所定の一時収集場所に一纏めにしてゴミ収集物を置いた後、この周囲に環状にした囲み主体部を置いて取り囲み、次にこの主体部を被うようにしてネットを被せ、ゴミ収集物を被覆するのである。
【００２２】
この方法による場合、ネットの裾を囲み主体部で押え付けることはないが、ゴミ収集物の周囲を主体部が取り囲み烏の侵入を阻止すると同時に、ゴミ収集物の上面はネットによって直接被われることからゴミの引き出しは不可能であり、撒き散らかしから有効に護られることになる。
【００２３】
ゴミが回収されて使用を終えた囲み主体部は、環状の組立を解き、主体部の一端部から巻き込んで筒形に取り纏めることによって縮小し格納に備えられる。
筒形に巻いた後は外側になった一方の端部の上下の縁をそれぞれ重り合う縁同士を挟むようにしてクリップ等で挟持固定する。これにより巻き解きを拘束できるので筒形のまゝ格納状態に維持することができる。このとき、形成される中心の空所に使用済みのゴミ掛け用ネットを畳んで収容すれば、一纏めにして取扱うことができる。
【００２４】
一方、囲み主体部を複数に切断して各切断部を折れ曲り自由に接続した場合は、この切断部を折り曲げて重ね合せに畳み扁平状にして格納に備えることができる。勿論、この場合折り畳むことなく、前述した場合と同様に一端部から巻き取って筒形にし、縮小させて格納するようにしてもよいことは言うまでもない。
【発明の効果】
【００２５】
本発明は前述説明の通り構成されるもので、生ゴミを収容したゴミ収集物はゴミ掛け用ネットで被覆されると共に、防護用補助具の併用によってネット周縁部からの烏の侵入を完全に防止することができる。従って、ネットで被ったゴミ収集物から餌になる生ゴミ類を引き出し、周辺に撒き散らし、汚損することがなく、衛生的に管理することができると共に、美観上も好ましく、またゴミの回収後において跡片付けも容易に行うことができる。
【００２６】
しかも、本発明防護用補助具は囲み主体部をプラスチック素材等の帯板材を以て成形することができることから容易に製造することができ、また使用時には帯状に展開したのちゴミ収集物の周囲に環状に組立て単に取り囲むことで烏の攻撃に対抗できることから取扱が極めて簡単である。
さらに使用後は主体部を巻き纏め筒形にして格納できることから持ち運びにも便利であり、併せて畳んだネットを収納することもできることから場所をとらずに美麗に格納管理することができる。
【発明を実施するための最良の形態】
【００２７】
本発明の実施例にあたっては、肉薄のシート状をなすプラスチック製の帯板状素材を以て所要の幅員と長さを有する囲み主体部を形成する。この主体部をゴミ容器、ゴミ袋に収めたゴミ収容物に被せたゴミ掛け用ネットの上からその周縁の裾の部分に載置するように環状に組立て上記ゴミ収容物の周囲に配置する。これにより烏が上記ネットの内側に頭を突き入れる等して侵入し、ゴミを引き出すのを阻止することができる。
以下、これにつき実施例にしたがって更に詳述し、その特徴とするところを明らかにする。
【実施例１】
【００２８】
図１乃至図６は本発明に係る防護用補助具の一例である。図１は囲み主体部の展開した状態の一部欠截した正面図、図２は図１の部分拡大図、図３は囲み主体部を環状に折り曲げ立ち上げた状態の斜視図、図４は囲み主体部の両端部を連結した状態を説明する拡大斜視図、図５は使用状態を説明する斜視図である。図面における符号１は本発明に係るゴミ掛け用ネットの防護用補助具の囲み主体部を示す。
【００２９】
囲み主体部１は自由に撓めることができる長尺な帯板状の素材、ここではポリプロピレンの肉薄なシートからなる帯板材によって形成してあり、その一方の端部１ａには囲み主体部１を環状に撓めたとき他方の端部１ｂと連結するための鉤形に形成した連結係止部２が、そして他方の端部１ｂにはこの連結係止部２を掛け止める係合受部３が設けてある。
【００３０】
連結係止部２は端部１ａから突き出すように設けてあり、係合受部３は主体部１の一部を切り抜いて長孔として形成してある。そして、係合受部３はここでは主体部１の長さ方向に沿って適宜の間隔をおいて複数個段設してある。
上記各係止受部３は図４に示したように連結係止部２の鉤形の先端部が侵入できる大きさに形成してあり、侵入後一方の縁部に鉤の先端を係合させることで任意に脱れないようにしてある。
【００３１】
上記構成される囲み主体部１は家庭や飲食店などから持ち出されるゴミ容器４やゴミ袋５等のゴミ収集物を取り囲むため、両端部１ａ，１ｂの連結係止部２と係合受部３を掛け合せて環状に組立て立上り状にして、これを上記ゴミ収集物に被せたゴミ掛け用ネット６の上から被せ、このネットと共にゴミ収集物を囲み込む。
【００３２】
図５は、囲み主体部１によってネット６で被ったゴミ収集物を取り囲んだ状態を示す。ここではゴミ収集物の周辺に広がる裾の部分６ａの上に載置して直線状をなす下縁部分７で均一に押え、併せて主体部１の重量を作用させて安定した状態で押え込むことになる。
【００３３】
尚、ゴミ収集物を囲む主体部１は双方の間に烏の侵入を許す無用な空隙を作らないため接近した状態で取り囲むことが望ましく、このため本実施例では収集するゴミ収集物の周囲の大きさに合せて前記連結係止部２を掛け止める係合受部３を選択し、環状に組立られる主体部１の大きさを決めるようにしている。
【００３４】
この様にしてネット６の上から囲み主体部１を被せて周囲を囲んだゴミ収集物は、ネット６によって覆われると同時に周縁部を取り囲まれることから烏の侵入口を完全に塞ぐことになり、ゴミの引き出しを防止することができる。
本実施例に基づく実験の結果によれば、囲み主体部1で囲った烏の餌になる残飯入りのゴミ収集物には烏が近付くこともなく、ゴミの引き出しによる撒き散らかしの被害を受けることもなかった。
【００３５】
この実験においてゴミ収集物の存在を確認している烏がこのゴミに接近しない原因が何によるかは明らかではないが、ゴミ掛け用ネットに加えて本発明の防護用補助具が作用していることは明らかである。このことは当該防護用補助具を取り除いたとき従来通り烏の攻撃を受け、ネットによる防護を果すことができなかったことから照明される。
【００３６】
図中８は、囲み主体部１の一方の端部１ａ近くの外側面に取り付けた手提げ部である。この手提げ部８は短冊状のプラスチック板の両端を囲み主体部１にかしめて止着し、中央部を浮き上がり状に取付けてあり、この手提げ部により補助具を提げて持ち運ぶことができる。
【００３７】
この手提げ部８は本発明補助具の使用後格納する際に使用するもので、囲み主体部１はゴミの回収によって使用を終了したところで端部の連結を外し、一方の端部１ｂから緩く巻き上げて筒状に縮小させ、格納に備えることになるが、このとき手提げ部８は筒状になった主体部１の外側に位置して持ち運びに供されることになる。
【００３８】
図６は囲み主体部１を筒状に巻き上げて格納状態にしたところを示している。筒状にした主体部１は素材の復元力で任意に伸展しないように紐で縛るか、若しくは図示したように上下の端部をクリップ９で挟み拘束する。そして、このときできる筒の中空部に折り畳んだゴミ掛け用ネット６を押し込むようにする。このようにすると、両者を一体にして格納することができ、取り纏めが容易になる。勿論、このとき前記手提げ部８を使って持ち運ぶことができることは言うまでもない。
【実施例２】
【００３９】
図７は本発明の他の使用形態を示した第２の実施例である。この実施例はゴミ容器４やゴミ袋５を集めたゴミ収集物の周囲に環状に組立てた本発明の防護用補助具たる囲み主体部を含む全体にゴミ掛け用ネット６を被せ、防護するようにした場合である。
【００４０】
烏は、ゴミ掛け用ネット６の裾の部分６ａの下に嘴を入れて押し上げ簡単にネットの中に侵入するが、このネットの裾の内側にあってゴミを囲み主体部１が取り囲んでいるとそれ以上の侵入は不可能になる。
このとき、ゴミ収集物の上に掛けられ被っているネット６を烏が持ち上げて外すことは自らがその上に乗ることと、ネット自体に重量があることから不可能である。勿論、本実施例の方法による使用において烏の攻撃を受けることはなかった。
尚、上記の場合図示するようにネット６の上から主体部１の上縁部７にクリップ９を使って止め付けると安定した状態で設置することができる。
【００４１】
実験において、図７におけるゴミ掛け用ネット６の裾の部分６ａ、つまり周縁部を囲み主体部１の内側に垂した場合においても、この囲み主体部の取り囲み効果によってゴミ収集物への攻撃を受けることはなかった。
【実施例３】
【００４２】
図８は、前記実施例１の連結方法に代えて囲み主体部１の端部１ａ，１ｂの連結をクリップ９の挟み付けによって行うようにした他の実施例である。
図示するようにこの実施例では断面コ字形に形成した金属製の二股のクリップ９を重ね合せにした両端部の上下から臨ませ、その縁部をばね力を利用して挟み付けることによって連結拘束するようにしている。ここではクリップ９を装着する位置が一箇所に特定されないことから端部１ａ，１ｂの重ね合せ幅の量に無関係に挟持拘束することができ、このため囲み部材１の環状の大きさを大小自由に選択し調節することができることになる。
【００４３】
この実施例で使用する上記クリップ９は前記実施例１において囲み主体部１を筒形に巻き込んだとき、これを固定するため使用したクリップと同じものである。従って、本実施例でも使用後筒形に巻き取ったところでこのクリップ９を縁部に装着すれば、囲み主体部を格納に適した状態に縮小維持することができる。
【００４４】
尚、前記各実施例におけるゴミ掛け用ネット６は一般に市販されている合成繊維製のネットであると共に、ゴミ引き出しが不能なメッシュのものが使用される。また囲み主体部１については使用後筒形に巻き取れる柔軟性が求められるが、同時に烏に押し潰されないため、また環状に組立てたとき自立できる所要の剛性、つまり腰の強さが求められることになる。
【００４５】
また、この囲み主体部１はゴミ収集物を取り囲める長さが求められることになるが、一つに特定されるものではなく端部同志の重ね幅を調節することによって長さを変え、常に適正な状態にして使用することができればよい。従って、一般的な使用においては３〜５ｍ程あれば多くの場合に対応することができる。また幅員については前述した通り２０〜３０ｃｍあれば充分である。勿論、取扱い上の多少の不便さを無視すれば３０ｃｍを超えるものであっても差し支えない。
【図面の簡単な説明】
【００４６】
【図１】一部欠截した展開した状態の囲み主体部の正面図。
【図２】図１の部分の拡大図。
【図３】囲み主体部を環状に組立てる状態を説明する斜視図。
【図４】囲み主体部の端部の連結を説明する拡大斜視図。
【図５】使用状態を説明する斜視図。
【図６】筒状に巻き取り格納状態にした囲み主体部の斜視図。
【図７】第２の実施例における使用状態を説明する斜視図。
【図８】第３の実施例における囲み主体部の端部同志の連結状態を説明する斜視図である。
【符号の説明】
【００４７】
１            囲み主体部
１ａ，１ｂ    端部
２            連結係止部
３            係合受部
６            ゴミ掛け用ネット
６ａ          ネットの裾部分
７            囲み主体部の縁部
８            手提げ部
【図１】
2005082390.tif 000003
【図２】
2005082390.tif 000004
【図３】
2005082390.tif 000005
【図４】
2005082390.tif 000006
【図５】
2005082390.tif 000007
【図６】
2005082390.tif 000008
【図７】
2005082390.tif 000009
【図８】
2005082390.tif 000010